(57)【要約】      （修正有）【課題】洋式トイレにおいて排尿時に、便器と便座の隙間から漏れ出すのを防止し、着衣とトイレの汚れを防止する尿漏れ防止具を提供する。【解決手段】洋式トイレの便器と便座の隙間１０に配置可能な尿漏れ防止具５であって、その幅方向に曲げる事の出来るストレート形状、若しくはその幅方向にＵ字状に曲げられたＵ字状のクッション材と、そのクッション材を覆う防水部材と、その防水部材と便座若しくは便器とを固定する固定部材とを備える事を特徴とする。【選択図】図２
0003194513.tif 000002
【実用新案登録請求の範囲】
【請求項１】
洋式トイレの便器と便座の隙間に配置可能な尿漏れ防止具であって、その幅方向に曲げる事の出来るストレート形状、若しくはその幅方向にＵ字状に曲げられたＵ時状のクッション材と、そのクッション材を覆う防水部材と、その防水部材と前期便座若しくは前記便器とを固定する固定部材とを備える事を特徴とする尿漏れ防止具。
【請求項２】
前記クッション材はＵ字形状であって、そのＵ字の頂点に平坦部を形成している事を特徴とする請求項１に記載の尿漏れ防止具。
【請求項３】
前記防水部材における前記便器外側に、前記防水部材の内部の気体を出し入れ可能とする開閉口を設けている事を特徴とする、請求項１又は請求項２に記載の尿漏れ防止具。
【請求項４】
前記固定部材を両面テープとしている事を特徴とする請求項１から３のいずれか１項に記載の尿漏れ防止具。
【請求項５】
前記クッション材の厚さは、前記便座の脚の高さ以上である事を特徴とする
請求項１から４のいずれか１項に記載の尿漏れ防止具。
【考案の詳細な説明】
【技術分野】
【０００１】
本考案は洋式トイレにおいて排尿時に、便器と便座の隙間から漏れ出すのを防止し、着衣とトイレの汚れを防止する防水式尿漏れ防止具に関する。
【背景技術】
【０００２】
現在、販売されている洋式トイレの便座部はおおむね４点の便座の脚が設けられており、人体の体重を便座の脚で支える構造となっている。その為、便座の脚の高さ分、便器と便座の隙間が生じてしまう。座位で排尿を行った際にその隙間から尿が漏れ出し、着衣への付着や床への漏れ出しによる汚れが生じてしまう問題が有った。
【先行技術文献】
【特許文献】
【０００３】
【特許文献１】特開第2008-229301号公報
【特許文献２】実用新案登録第3182925号公報
【特許文献３】実用新案登録第3138695号公報
【考案の概要】
【考案が解決しようとする課題】
【０００４】
高齢者施設や介護施設において、介護を要する高齢者が座位での排尿をする際に、便座へ座る位置が悪く、便器と便座の間にある便座の脚によって生じた隙間により尿が漏れ出す事が有った。そのため、しばしば漏れ出した尿が着衣や床を汚すことになり、その都度、着衣の着替えや床の掃除が必要となるが、これは、かなりの重労働であった。
【課題を解決するための手段】
【０００５】
洋式トイレにおいて便器と便座の間に隙間が生じており、座位で排尿を行った際に隙間部より排尿が飛び出し、着衣や床面に付着する事が有る。本考案は防水部材でクッション材を覆い、便座に固定部材で固定する事により、便器と便座の隙間を埋める尿漏れ防止器具である。
【０００６】
第１の考案は、洋式トイレの便器と便座の隙間に配置可能な尿漏れ防止具であって、その幅方向に曲げる事の出来るストレート形状、若しくはその幅方向にＵ字状に曲げられたＵ時状のクッション材と、そのクッション材を覆う防水部材と、その防水部材と前期便座若しくは前記便器とを固定する固定部材とを備える事を特徴とする尿漏れ防止具である。
また、第２の考案は、第１の考案において、前記クッション材はＵ字形状であって、そのＵ字の頂点に平坦部を形成している事を特徴とする尿漏れ防止具である。
また、第３の考案は、第１又は第２の考案において、前記防水部材における前記便器外側に、前記防水部材の内部の気体を出し入れ可能とする開閉口を設けている事を特徴とする、請求項１又は請求項２に記載の尿漏れ防止具である。
また、第４の考案は、第１〜３のいずれか１つの考案において、前記固定部材を両面テープとしている事を特徴とする尿漏れ防止具である。
また、第５の考案は、第１〜４のいずれか１つの考案において、前記クッション材の厚さは、前記便座の脚の高さ以上である事を特徴とする尿漏れ防止具である。
【考案の効果】
【０００７】
本考案により、排尿時の尿漏れによる着衣への付着及び尿漏れによる便器の汚れを防止する効果が有り、不特定多数者が利用する介護施設などにおいて防水効果による衛生面の向上にもなっている。
【図面の簡単な説明】
【０００８】
【図１】本考案の設置全体図である。（本考案の尿漏れ防止具を着けた状態の斜視図である。）
【図２】本考案の設置側面図である。（本考案の尿漏れ防止具を着けた状態の側面図である。）
【図３】本考案の尿漏れ防止具(ストレート形状)の平面図である。
【図４】本考案の尿漏れ防止具(Ｕ字形状)の平面図である。
【図５】本考案の尿漏れ防止具(Ｕ字頂点部外側、および、内面側が平坦形状)の平面図である。
【図６】本考案の尿漏れ防止具の断面図である。
【考案を実施するための形態】
【実施例】
【０００９】
図１は、本考案の尿漏れ防止具（５）（６）（７）を便座（３）につけた状態を示した斜視図である。尿漏れ防止具（５）をつけていない状態では、図示した尿漏れ発生範囲（２）（４点の便座の脚の内、前側2ヵ所の間）にしばしば、尿漏れによる汚れが発生する。
【００１０】
図２は、本考案の尿漏れ防止具（５）（６）（７）を便座（３）につけた状態を示した側面図である。
【００１１】
便座の脚（４）メーカーにより、高さ・位置共にまちまちである。その為、本発明品では汎用性を持たす為、便座の脚の高さ違いや便器と便座間の隙間の違いに対応するために、縦20mm×横30mm×長さ500ｍｍ程度の防水部材（１２）で覆ったクッション材（１１）を、概ね190×310ｍｍのＵ字形状にし、固定部)で、便器（１）と便座（３）間の尿漏れ発生範囲（２）を本考案品で塞ぎ、排尿漏れ防止を図る。また防水部材で覆う事により防水性が保たれ、不特定多数者が利用する介護施設等で衛生的に使用する事が出来る。このクッション材（１１）は、十分な弾性を有しており、便座の脚（４）の位置に関わらず対応可能である。
【００１２】
図３は、本考案の尿漏れ防止具（ストレート形状）（５）である。ストレート状態のものを便座（３）の形状に合わせて曲げた状態を斜線をつけて示している。
【００１３】
図４は、本考案の尿漏れ防止具（Ｕ字形状）（６）である。
【００１４】
図５は、本考案の他の尿漏れ防止具（Ｕ字頂点平坦形状）（７）である。Ｕ字頂点に平坦部(１５)を60ｍｍ程度設けた形状となっている。平坦部（１５）を設ける事により、便座（３）の開閉時に本考案品（７）と便座（３）を持ち上げる手が接触しないよう衛生面を考慮した形状となっている。
【００１５】
図６は、本考案の尿漏れ防止具（５）のＡ−Ａ断面図である。クッション部材（１１）を防水部材（１２）で覆い、防水部材（１２）に固定部材（１３）を取り付けている。防水部材（１２）には図示の通り、内部の気体を出し入れする為に幅5ｍｍ程度の開閉口（１４）を設けた形状となっている。防水部材を完全に密閉してしまうと便器・便座間で押しつぶされた際、内部の気体が逃げ場を失い内部圧の上昇により防水部材が破損するのを防ぐ形状となっている。
【産業上の利用可能性】
【００１６】
本考案は、通常の便器に広く使用可能であり、樹脂製造業に新たな市場を提供するものである。また、介護者の負担の軽減、要介護者の一層の自律性を支援できる。
【符号の説明】
【００１７】
1:便器
2:尿漏れ発生範囲
3:便座
4:便座の脚
5:本考案品の尿漏れ防止具（ストレート形状）
6：本考案品の尿漏れ防止具（Ｕ字形状）
7：本考案品の尿漏れ防止具（Ｕ字頂点平坦形状）
8:床
9:着衣
10:隙間
11:クッション部材
12:防水部材
13:固定部材
14:開閉口
15:平坦部
【図１】
0003194513.tif 000003
【図２】
0003194513.tif 000004
【図３】
0003194513.tif 000005
【図４】
0003194513.tif 000006
【図５】
0003194513.tif 000007
【図６】
0003194513.tif 000008